【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
遊技媒体を発射することで遊技を行い、遊技者にとって有利な有利状態に制御可能な遊技機であって、
遊技の進行を制御する遊技制御手段と、
前記遊技制御手段から送信された所定情報に従って演出を制御する演出制御手段と、
前記有利状態の確率に関する設定値を設定するための設定許可状態に制御可能な設定許可手段と、
前記設定許可状態に制御されているか否かを判定する判定手段と、を備え、
前記演出制御手段は、電源投入から特定期間が経過した後に、前記遊技制御手段から送信された前記所定情報が解析可能となり、
前記遊技制御手段は、前記特定期間が経過した後に前記演出制御手段への前記所定情報の送信を開始し、
前記判定手段は、前記特定期間が経過する前に、前記設定許可状態に制御されているか否かを判定し、
前記遊技制御手段は、
前記判定手段が前記設定許可状態であると判定したことに基づき、前記特定期間が経過する前に前記設定許可状態に関する報知を行うことが可能であり、
前記設定許可状態に制御されているときに、遊技媒体の始動領域の通過により実行される特定処理を、実行しない、
ことを特徴とする遊技機。
【手続補正２】
【補正対象書類名】明細書
【補正対象項目名】０００２
【補正方法】変更
【補正の内容】
【０００２】
パチンコ遊技機において、大当りの当選確率（出玉率）等の設定値を変更することが可能な遊技機が特許文献１に開示されている。また、設定値を変更するための設定キーの部分がカバーで覆われている遊技機が特許文献２に開示されている。さらに、パチンコ遊技機では、電源投入時に主基板と演出制御基板との立ち上がりに時間差があるため、主基板において所定の時間分だけ演出制御基板へのコマンド送信を禁止する遊技機が特許文献３に開示されている。
【手続補正３】
【補正対象書類名】明細書
【補正対象項目名】０００３
【補正方法】変更
【補正の内容】
【０００３】
【特許文献１】特開２０１７−６０５４６号公報
【特許文献２】特開２０１０−２３３６４５号公報
【特許文献３】特開２００１−３２１５４５号公報
【手続補正４】
【補正対象書類名】明細書
【補正対象項目名】０００４
【補正方法】変更
【補正の内容】
【０００４】
しかし、特許文献３に記載されたような遊技機において設定変更を行う場合に、所定の時間分だけ処理を待って設定変更や設定変更報知を行ったのでは、設定する者が煩わしさを感じるなど不便が生じていた。
【手続補正５】
【補正対象書類名】明細書
【補正対象項目名】０００５
【補正方法】変更
【補正の内容】
【０００５】
この発明は、上記の実状に鑑みてなされたものであり、設定する者が煩わしさを感じることなく設定値を設定できる遊技機を提供することを目的とする。
【手続補正６】
【補正対象書類名】明細書
【補正対象項目名】０００６
【補正方法】変更
【補正の内容】
【０００６】
（１）上記目的を達成するため、本願発明に係る遊技機は、
遊技媒体を発射することで遊技を行い、遊技の進行を制御する遊技制御手段と、
前記遊技制御手段から送信された所定情報に従って演出を制御する演出制御手段と、
前記有利状態の確率に関する設定値を設定するための設定許可状態に制御可能な設定許可手段と、
前記設定許可状態に制御されているか否かを判定する判定手段と、を備え、
前記演出制御手段は、電源投入から特定期間が経過した後に、前記遊技制御手段から送信された前記所定情報が解析可能となり、
前記遊技制御手段は、前記特定期間が経過した後に前記演出制御手段への前記所定情報の送信を開始し、
前記判定手段は、前記特定期間が経過する前に、前記設定許可状態に制御されているか否かを判定し、
前記遊技制御手段は、
前記判定手段が前記設定許可状態であると判定したことに基づき、前記特定期間が経過する前に前記設定許可状態に関する報知を行うことが可能であり、
前記設定許可状態に制御されているときに、遊技媒体の始動領域の通過により実行される特定処理を、実行しない、
ことを特徴とする。
このような構成によれば、設定値を設定する場合に煩わしさを感じることを抑制できる。
【手続補正７】
【補正対象書類名】明細書
【補正対象項目名】０００７
【補正方法】変更
【補正の内容】
【０００７】
（１）他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正８】
【補正対象書類名】明細書
【補正対象項目名】０２４３
【補正方法】変更
【補正の内容】
【０２４３】
図２４は、特徴部１７６Ｆに関するＣＰＵ１０３が実行する設定値確認処理を示すフローチャートである。設定値確認処理では、ＣＰＵ１０３は、先ず、ＲＡＭ１０２におけるアドレスＦ０００（図２５（Ｂ）参照）に格納されている設定値を表示モニタ１７６Ｆ００７に表示する（１７６ＦＳ０２０）。そして、ＣＰＵ１０３は、主基板１１で制御可能なスピーカ、ＬＥＤや表示装置などで設定確認報知を行いつつ、パチンコ遊技機１の外部端子板からセキュリティ信号をホールコンなどに出力（外部情報ＯＮ）して「設定確認状態」であることを知らせる（１７６ＦＳ０２１）。なお、設定確認報知及びセキュリティ信号の出力は、設定確認状態を終了するまで続ける構成でも、１回のみの構成でもよい。
【手続補正９】
【補正対象書類名】明細書
【補正対象項目名】０２５３
【補正方法】変更
【補正の内容】
【０２５３】
図２６は、特徴部１７６Ｆに関するＣＰＵ１０３が実行する設定変更処理を示すフローチャートである。設定変更処理では、ＣＰＵ１０３は、先ず、主基板１１で制御可能なスピーカ、ＬＥＤや表示装置などで設定変更報知を行いつつ、パチンコ遊技機１の外部端子板からセキュリティ信号をホールコンなどに出力（外部情報ＯＮ）して「設定変更状態」であることを知らせる（１７６ＦＳ０４０）。なお、設定変更報知及びセキュリティ信号の出力は、設定変更状態を終了するまで続ける構成でも、１回のみの構成でもよい。そして、ＲＡＭ１０２におけるアドレスＦ０００（図２５（Ｂ）参照）に格納されている設定値を特定し（１７６ＦＳ０４１）、該特定した設定値を表示モニタ１７６Ｆ００７に表示する（１７６ＦＳ０４２）。
【手続補正１０】
【補正対象書類名】明細書
【補正対象項目名】０２５４
【補正方法】変更
【補正の内容】
【０２５４】
次にＣＰＵ１０３は、クリア／設定スイッチ１７６Ｆ００６の操作が有りか否かを判定する（１７６ＦＳ０４３）。クリア／設定スイッチ１７６Ｆ００６の操作が有る場合（１７６ＦＳ０４３；Ｙ）は、主基板１１で制御可能なスピーカ、ＬＥＤや表示装置などで報知を行いつつ、パチンコ遊技機１の外部端子板からセキュリティ信号をホールコンなどに出力（外部情報ＯＮ）して、設定変更操作があったことを知らせる（１７６ＦＳ０４４）。なお、設定変更操作があったことを知らせる設定変更報知及びセキュリティ信号の出力は、設定変更状態を終了するまで続ける構成でも、１回のみの構成でもよい。
【手続補正１１】
【補正対象書類名】明細書
【補正対象項目名】０２６３
【補正方法】変更
【補正の内容】
【０２６３】
次に、クリア／設定スイッチ１７６Ｆ００６をＯＮ状態にしたまま、電源投入（電源ＯＮ）することで「設定変更状態」へ処理が移行する。主基板１１は、「設定変更状態」に移行したことを報知するため、主基板１１で制御可能なスピーカ、ＬＥＤや表示装置などで設定変更報知を行う。主基板１１での設定変更報知は、後述するが演出制御基板１２の立ち上がりを待たずに行われる。さらに、主基板１１は、「設定変更状態」に移行したことを外部に報知するため、パチンコ遊技機１の外部端子板からセキュリティ信号をホールコンなどに出力（外部情報ＯＮ）して「設定変更状態」であることを知らせる。「設定変更状態」に移行した場合、ＲＡＭ１０２の記憶もクリア（ＲＡＭクリア）され、表示モニタ１７６Ｆ００７に、設定されている設定値が表示される。なお、「設定変更状態」中は、遊技開始前の状態であり、例えば、遊技玉が始動口に入賞したことに基づく抽選処理や、賞球の払い出しなどの遊技に関する処理は実行されない。
【手続補正１２】
【補正対象書類名】明細書
【補正対象項目名】０２６４
【補正方法】変更
【補正の内容】
【０２６４】
次に、「設定変更状態」中に、クリア／設定スイッチ１７６Ｆ００６を押下する毎に設定値が変更される。主基板１１は、設定値が変更されたことを報知するため、主基板１１で制御可能なスピーカ、ＬＥＤや表示装置などで設定変更報知を行う。主基板１１で設定値が変更されたことによる設定変更報知も、後述するが演出制御基板１２の立ち上がりを待たずに行われる。さらに、主基板１１は、設定値が変更されたことを外部に報知するため、パチンコ遊技機１の外部端子板からセキュリティ信号をホールコンなどに出力（外部情報ＯＮ）して設定値が変更されたことを知らせる。表示モニタ１７６Ｆ００７には、クリア／設定スイッチ１７６Ｆ００６の押下に従って変更された設定値が表示される。なお、設定値が変更されている間は「設定変更状態」中で遊技開始前の状態であるので、例えば、遊技玉が始動口に入賞したことに基づく抽選処理、賞球の払い出しなどの遊技に関する処理は実行されない。
【手続補正１３】
【補正対象書類名】明細書
【補正対象項目名】０２６５
【補正方法】変更
【補正の内容】
【０２６５】
次に、設定キースイッチ１７６Ｆ００５に挿した設定キーを操作してＯＮからＯＦＦにする（設定キーＯＦＦ）。設定キースイッチ１７６Ｆ００５をＯＦＦにすることで、主基板１１は、クリア／設定スイッチ１７６Ｆ００６が押下されて変更された設定値を採用して遊技を開始する。主基板１１は、「設定変更状態」中にＲＡＭクリアされたことを報知するため、主基板１１で制御可能なスピーカ、ＬＥＤや表示装置などでＲＡＭクリア報知を行う。なお、主基板１１は、演出制御基板１２の立ち上がり後に、演出制御基板１２で制御可能なスピーカ、ＬＥＤや表示装置などでＲＡＭクリア報知を行ってもよい。表示モニタ１７６Ｆ００７には、ベース値など遊技に関する情報が表示される。主基板１１は、設定キースイッチ１７６Ｆ００５をＯＦＦ状態にすることで遊技が開始され遊技中となる。
【手続補正１４】
【補正対象書類名】明細書
【補正対象項目名】０２６７
【補正方法】変更
【補正の内容】
【０２６７】
次に、クリア／設定スイッチ１７６Ｆ００６をＯＦＦ状態にしたまま、電源投入（電源ＯＮ）することで「設定確認状態」へ処理が移行する。主基板１１は、「設定確認状態」に移行したことを報知するため、主基板１１で制御可能なスピーカ、ＬＥＤや表示装置などで設定確認報知を行う。主基板１１での設定確認報知は、演出制御基板１２の立ち上がりを待たずに行われる。さらに、主基板１１は、「設定確認状態」に移行したことを外部に報知するため、パチンコ遊技機１の外部端子板からセキュリティ信号をホールコンなどに出力（外部情報ＯＮ）して「設定確認状態」であることを知らせる。「設定確認状態」に移行した場合、表示モニタ１７６Ｆ００７に、設定されている設定値が表示される。なお、「設定確認状態」中は、遊技開始前の状態であり、例えば、遊技玉が始動口に入賞したことに基づく抽選処理、賞球の払い出しなどの遊技に関する処理は実行されない。
【手続補正１５】
【補正対象書類名】明細書
【補正対象項目名】０２７２
【補正方法】変更
【補正の内容】
【０２７２】
上述したように、設定変更や設定確認の処理は、主基板１１で実行されるため、ＣＰＵ１０３が立ち上がった後に実行可能である。そのため、主基板１１で設定変更や設定確認の処理を実行し、設定変更報知や設定確認報知を行う場合、演出制御基板１２では、特定期間が経過しておらず、当該特定期間が経過を待って設定変更報知や設定確認報知を行う必要がある。しかし、本実施の形態に係る主基板１１では、当該特定期間が経過を待たずに、主基板１１で制御可能なスピーカ、ＬＥＤや表示装置などで設定変更報知や設定確認報知を行うことができる。
【手続補正１６】
【補正対象書類名】明細書
【補正対象項目名】０２７９
【補正方法】変更
【補正の内容】
【０２７９】
（特徴部１７６Ｆの手段）
（１）  以上、本実施の形態では、遊技に関する設定を変更可能な遊技機（例えば、パチンコ遊技機１）であって、
遊技の進行を制御する遊技制御手段（例えば、主基板１１）と、
前記遊技制御手段から送信された所定コマンド（例えば、制御コマンド）に従って演出を制御する演出制御手段（例えば、演出制御基板１２）と、
設定を変更可能な設定変更状態に制御されているか否かを判定する判定手段（例えば、主基板１１は、図２２示す条件に基づき設定変更状態に制御されているか否かを判定）とを備え、
前記演出制御手段は、電源投入から特定期間（例えば、演出制御基板１２が制御コマンドを受信可能、またはバッファに受信している制御コマンドを解析可能となるまでの期間）が経過した後に、前記遊技制御手段から送信された所定コマンドが解析可能となり、
前記遊技制御手段は、前記特定期間が経過した後に前記演出制御手段への所定コマンドの送信を開始（例えば、制御コマンドを送信Ｓ７，Ｓ９，１７６ＦＳ０１９ａ）し、
前記判定手段は、前記特定期間が経過する前に、前記設定変更状態に制御されているか否かを判定し（例えば、設定変更処理（１７６ＦＳ０１６））、
前記遊技制御手段は、前記判定手段が設定を変更可能であると判定したことに基づき、前記特定期間の経過を待たずに設定変更に関する報知を制御する（例えば、主基板１１で制御可能なスピーカ、ＬＥＤや表示装置などで設定変更報知を行う（１７６ＦＳ０４０））。
【手続補正１７】
【補正対象書類名】明細書
【補正対象項目名】０３１７
【補正方法】変更
【補正の内容】
【０３１７】
遊技機用枠３が開放されていない場合（１７８ＦＳ００４；Ｎｏ）、遊技機用枠３を開放せずに開閉部１７８Ｆ０１０を開ける不正が行われたとして、ＣＰＵ１０３は主基板１１でエラー報知を行うとともに、エラーフラグを設定する（１７８ＦＳ００５）。主基板１１で行うエラー報知は、主基板１１で制御可能なスピーカ、ＬＥＤや表示装置などを用いて主基板１１自体で行う報知である。一方、演出制御基板１２で制御可能なスピーカ、ＬＥＤや表示装置などを用いてエラー報知を行う場合、設定したエラーフラグを含む制御コマンドが主基板１１から演出制御基板１２に送信されることで演出制御基板１２での報知が可能となる。なお、ＣＰＵ１０３は、エラー報知を行っている間、遊技に関する処理（例えば、遊技球が始動口に入賞したことに基づく抽選処理や、入賞したことに基づく賞球の払出し処理など）を実行しない、または遊技を停止させる。また、エラーフラグが設定された場合、以降の設定値確認処理や設定変更処理で行った操作を無効にしてもよい。例えば、設定変更処理で設定値を変更する操作をしても、設定値として記憶させない。
【手続補正１８】
【補正対象書類名】明細書
【補正対象項目名】０３３３
【補正方法】変更
【補正の内容】
【０３３３】
図３７は、特徴部１７８Ｆに関するＣＰＵ１０３が実行する設定値確認処理を示すフローチャートである。設定値確認処理では、ＣＰＵ１０３は、先ず、設定確認報知フラグを設定する（１７８ＦＳ０２０）。設定した設定確認報知フラグを含む制御コマンドが主基板１１から演出制御基板１２に送信されることで、演出制御基板１２は、演出制御基板１２で制御可能なスピーカ、ＬＥＤや表示装置などを用いて設定確認報知を行う。設定確認報知を行うことで、設定値確認処理が実行されていることを周りに認知させることができる。更に、パチンコ遊技機１の外部端子板からセキュリティ信号をホールコンなどに出力（外部情報ＯＮ）して「設定確認状態」であることを知らせてもよい。
【手続補正１９】
【補正対象書類名】明細書
【補正対象項目名】０３４４
【補正方法】変更
【補正の内容】
【０３４４】
図３９は、特徴部１７８Ｆに関するＣＰＵ１０３が実行する設定変更処理を示すフローチャートである。設定変更処理では、ＣＰＵ１０３は、先ず、設定変更処理の実行を知らせる設定変更報知フラグを設定する（１７８ＦＳ０４０）。設定した設定変更報知フラグを含む制御コマンドが主基板１１から演出制御基板１２に送信されることで、演出制御基板１２は、演出制御基板１２で制御可能なスピーカ、ＬＥＤや表示装置などを用いて設定変更処理の実行を知らせる設定変更報知を行う。当該設定変更報知を行うことで、設定変更処理が実行されていることを周りに認知させることができる。更に、パチンコ遊技機１の外部端子板からセキュリティ信号をホールコンなどに出力（外部情報ＯＮ）して「設定変更状態」であることを知らせてもよい。
【手続補正２０】
【補正対象書類名】明細書
【補正対象項目名】０３４６
【補正方法】変更
【補正の内容】
【０３４６】
次にＣＰＵ１０３は、クリア／設定スイッチ１７８Ｆ００６の操作が有りか否かを判定する（１７８ＦＳ０４３）。クリア／設定スイッチ１７８Ｆ００６の操作が有る場合（１７８ＦＳ０４３；Ｙ）は、設定変更操作があったことを知らせる設定変更報知フラグを設定する（１７８ＦＳ０４４）。設定した設定変更報知フラグを含む制御コマンドが主基板１１から演出制御基板１２に送信されることで、演出制御基板１２は、演出制御基板１２で制御可能なスピーカ、ＬＥＤや表示装置などを用いて設定変更操作があったことを知らせる設定変更報知を行う。当該設定変更報知を行うことで、設定変更操作があったことを周りに認知させることができる。更に、パチンコ遊技機１の外部端子板からセキュリティ信号をホールコンなどに出力（外部情報ＯＮ）して「設定変更状態」であることを知らせてもよい。
【手続補正２１】
【補正対象書類名】明細書
【補正対象項目名】０３５５
【補正方法】変更
【補正の内容】
【０３５５】
遊技制御タイマ割込処理における開閉部確認処理について、さらに詳しく説明する。図４２は、開閉部確認処理のフローチャートである。まず、ＣＰＵ１０３は、開閉部１７８Ｆ０１０に設けられた開閉検出センサ１７８Ｆ０１２からの信号に基づき、開閉部１７８Ｆ０１０が開いている（開状態）か否かを判定する（１７８ＦＳ０７０）。開閉部１７８Ｆ０１０が開いている（開状態）場合（１７８ＦＳ０７０；Ｙｅｓ）、ＣＰＵ１０３は、開閉部１７８Ｆ０１０の開状態が所定時間以上か否かを判定する（１７８ＦＳ０７１）。開閉部１７８Ｆ０１０の開状態が所定時間以上の場合（１７８ＦＳ０７１；Ｙｅｓ）、ＣＰＵ１０３は、パチンコ遊技機１の遊技機用枠３に設けられた開放検出センサ１７８Ｆ０１１からの信号に基づき、遊技機用枠３が開放されているか否かを判定する（１７８ＦＳ０７２）。遊技機用枠３が開放されていない場合（１７８ＦＳ０７２；Ｎｏ）、ＣＰＵ１０３は、エラーフラグを設定する（１７８ＦＳ０７３）。設定したエラーフラグを含む制御コマンドが主基板１１から演出制御基板１２に送信されることで、演出制御基板１２は、演出制御基板１２で制御可能なスピーカ、ＬＥＤや表示装置などを用いて設定確認報知を行う。
【手続補正２２】
【補正対象書類名】明細書
【補正対象項目名】０３５９
【補正方法】変更
【補正の内容】
【０３５９】
１７８ＦＳ０７２に戻って、遊技機用枠３が開放されている場合（１７８ＦＳ０７２；Ｙｅｓ）、ＣＰＵ１０３は、開閉部１７８Ｆ０１０が開いていることを報知する（１７８ＦＳ０７５）。例えば、演出制御基板１２の表示装置に「開閉部が開放中」と表示させて、開閉部１７８Ｆ０１０の閉め忘れを防止する。もちろん、ＣＰＵ１０３は、開閉部１７８Ｆ０１０が開いていることを報知しなくてもよい。また、ＣＰＵ１０３は、設定変更可能状態である旨を報知してもよい。
【手続補正２３】
【補正対象書類名】明細書
【補正対象項目名】０３７２
【補正方法】変更
【補正の内容】
【０３７２】
（特徴部１７８Ｆの手段）
（１）  以上、本実施の形態では、遊技者に関する設定を変更可能な遊技機（例えば、パチンコ遊技機１）であって、
操作を行うことで設定の変更を可能とする変更操作手段（例えば、設定キースイッチ１７８Ｆ００５及びクリア／設定スイッチ１７８Ｆ００６の操作）と、
開閉可能に設けられ、開状態であるときに前記変更操作手段への操作が可能となる開閉部（例えば、開閉部１７８Ｆ０１０）と、
エラー報知を行う報知手段（例えば、主基板１１で制御可能なスピーカ、ＬＥＤや表示装置など）とを備え、
前記報知手段は、
特定条件（例えば、遊技機用枠３が開放されていることを条件）が成立しているときに、前記開閉部が開状態である場合には前記エラー報知を行わず（例えば、遊技機用枠３が開放されている場合（１７８ＦＳ００４；Ｙｅｓ）にエラー報知を行わない）、
前記特定条件が成立していないときに、前記開閉部が開状態である場合には前記エラー報知を行う（例えば、遊技機用枠３が開放されていない場合（１７８ＦＳ００４；Ｎｏ）で開閉部１７８Ｆ０１０が開放されていれば（１７８ＦＳ００３；Ｙｅｓ）、ＣＰＵ１０３は、エラー報知を行う（１７８ＦＳ００５））。
【手続補正２４】
【補正対象書類名】明細書
【補正対象項目名】０３９７
【補正方法】変更
【補正の内容】
【０３９７】
ＲＡＭ１０２のデータが正常であると判定された場合（Ｓ５；Ｙｅｓ）、ＣＰＵ１０３は、設定キースイッチ１７８Ｆ００５がＯＮであるか否かを判定する（１７８ＦＳ１０６）。設定キースイッチ１７８Ｆ００５がＯＮである場合（１７８ＦＳ１０６；Ｙｅｓ）は、表示モニタ１７８Ｆ００７にパチンコ遊技機１に設定されている設定値を表示するための設定値確認処理を実行し、遊技場の店員等が表示モニタ１７８Ｆ００７を視認することによってパチンコ遊技機１に設定されている設定値を確認可能な状態（設定確認状態）とする（１７８ＦＳ１０７）。なお、設定値確認処理（１７８ＦＳ１０７）では、図３７に示す設定値確認処理において、ＣＰＵ１０３が、設定確認フラグの設定（１７８ＦＳ０２０）を行わずに、主基板１１で制御可能なスピーカ、ＬＥＤや表示装置などで設定確認報知を行うものとする。
【手続補正２５】
【補正対象書類名】明細書
【補正対象項目名】０４０３
【補正方法】変更
【補正の内容】
【０４０３】
設定キースイッチ１７８Ｆ００５がＯＮである場合（１７８ＦＳ１１２；Ｙｅｓ）は、ＣＰＵ１０３は、パチンコ遊技機１に設定されている設定値を変更するための設定変更処理を実行する（１７８Ｆ１１６）。ＣＰＵ１０３は、設定変更処理を実行することで、遊技場の店員等がクリア／設定スイッチ１７８Ｆ００６を操作することによってパチンコ遊技機１に設定されている設定値を変更可能な状態（設定変更状態）とする。なお、設定変更処理（１７８ＦＳ１１６）では、図３９に示す設定変更処理において、ＣＰＵ１０３が、設定変更フラグの設定（１７８ＦＳ０４０）を行わずに、主基板１１で制御可能なスピーカ、ＬＥＤや表示装置などで設定変更報知を行うものとする。